(57)【要約】  プリント基板（１５０）に実装され、減衰特性を有し、受信信号（１００１）の振幅を減衰特性に応じて減衰し、減衰信号（１００２）として送出する伝送回路（１０２）と、プリント基板（１５０）に実装され、補正特性を有し、伝送回路（１０２）から受信した減衰信号（１００２）を補正特性に応じて減衰し、補正信号（１００３）として送信する補正回路（１０３）とを備え、減衰特性は、受信信号（１００１）の周波数が高くなるにしたがって、受信信号（１００１）の振幅に対する減衰信号（１００２）の振幅の比が小さくなる特性であり、補正特性は、減衰信号（１００２）の周波数が高くなるにしたがって、減衰信号（１００２）の振幅に対する補正信号（１００３）の振幅の比が大きくなる特性である。
2015140976.tif 000002
【特許請求の範囲】
【請求項１】
プリント基板に実装される処理回路において、
前記プリント基板に実装され、受信した受信信号の振幅を減衰する第１減衰特性を有し、前記第１減衰特性に応じて減衰された前記受信信号を減衰信号として送出する伝送回路と、
前記プリント基板に実装され、前記伝送回路から受信した前記減衰信号を減衰する第２減衰特性を有し、前記第２減衰特性に応じて減衰された前記減衰信号を補正信号として送信する補正回路と
を備え、
前記伝送回路の前記第１減衰特性は、
前記受信信号の周波数が高くなるにしたがって、前記受信信号の振幅に対する前記減衰信号の振幅の比が小さくなる特性であり、
前記補正回路の前記第２減衰特性は、
前記減衰信号の周波数が高くなるにしたがって、前記減衰信号の振幅に対する前記補正信号の振幅の比が大きくなる特性である
ことを特徴とする処理回路。
【請求項２】
前記減衰信号の振幅に対する前記補正信号の振幅の比の変化量は、前記受信信号の振幅に対する前記減衰信号の振幅の比の変化量よりも小さいことを特徴とする請求項１に記載の処理回路。
【請求項３】
前記補正回路の前記第２減衰特性は、前記第１減衰特性の逆特性であって、前記受信信号の振幅に対する前記補正信号の振幅の比が、前記減衰信号の周波数に関わらず一定となるように前記減衰信号を減衰する逆特性であることを特徴とする請求項１または２に記載の処理回路。
【請求項４】
前記補正回路は、前記受信信号の周波数と、前記受信信号の振幅に対する前記減衰信号の振幅の比との関係を示す第１の値に基づいて、前記減衰信号を減衰することを特徴とする請求項１〜３のいずれかに記載の処理回路。
【請求項５】
前記補正回路の前記第２減衰特性は、前記第１の値が直線に近似された第２の値に基づいて算出されることを特徴とする請求項４に記載の処理回路。
【請求項６】
前記補正回路は、ハイパスフィルタを有することを特徴とする請求項１〜５のいずれかに記載の処理回路。
【請求項７】
前記補正回路は、コンデンサとインダクタとから構成されることを特徴とする請求項１〜６のいずれかに記載の処理回路。
【請求項８】
前記補正回路は、バタワース型ハイパスフィルタを有することを特徴とする請求項１〜７のいずれかに記載の処理回路。
【請求項９】
前記第２減衰特性において、前記減衰信号の周波数が高くなるにしたがって前記減衰信号の振幅に対する前記補正信号の振幅の比が大きくなる周波数帯域のうちの周波数の最大値であるカットオフ周波数を変更させる制御回路を備えることを特徴とする請求項１〜８のいずれかに記載の処理回路。
【請求項１０】
前記プリント基板に実装され、前記伝送回路に前記受信信号を送出するドライバと、
前記プリント基板に実装され、前記補正回路から前記補正信号を受信するレシーバと
を備えることを特徴とする請求項１〜９のいずれかに記載の処理回路。
【請求項１１】
前記レシーバは、前記補正信号の振幅を増幅し、増幅した前記補正信号を送出することを特徴とする請求項１０に記載の処理回路。
【請求項１２】
前記ドライバは、前記受信信号を送出する前に、前記受信信号の振幅を増幅し、増幅した前記受信信号を送出することを特徴とする請求項１０または１１に記載の処理回路。
【請求項１３】
プリント基板に実装される処理回路の信号補正方法において、
前記プリント基板に実装され、受信した受信信号を減衰信号として送信する伝送回路が、前記受信信号の周波数が高くなるにしたがって前記受信信号の振幅に対する前記減衰信号の振幅の比が小さくなる第１減衰特性に応じて減衰された前記受信信号を前記減衰信号として送信し、
前記プリント基板に実装され、前記伝送回路から受信した前記減衰信号を補正信号として送信する補正回路が、前記減衰信号の周波数が高くなるにしたがって前記減衰信号の振幅に対する前記補正信号の振幅の比が大きくなる第２減衰特性に応じて減衰された前記減衰信号を前記補正信号として送信する
ことを特徴とする信号補正方法。
【発明の詳細な説明】
【技術分野】
【０００１】
本発明は、高周波信号を高速に処理する処理回路、及びこの処理回路の信号補正方法に関する。
【背景技術】
【０００２】
電気電子機器において、高速信号伝送を忠実に実行するための電気的性能要件は、ＬＳＩ（集積回路）（Ｌａｒｇｅ・Ｓｃａｌｅ・Ｉｎｔｅｇｒａｔｉｏｎ）のドライバ−レシーバ間に存在する伝送路における周波数減衰特性が広帯域に渡り平坦であることである。
従来は、このような電気的性能要件を得るために、低誘電率である高級基板材料の利用、高周波伝送用コネクタの利用、および厳密な基板設計等によって、電気電子機器内の伝送路を成立させてきた。【０００３】
近年、ＬＳＩが有する、波形整形を行う等化器機能、自動利得増幅機能を利用して、レシーバにおける信号波形を最終的に矩形波へと再現する設計が行われるようになってきている。
特に、等化器機能を実現するイコライザには、ＳＮ比（信号雑音比）が大きく、かつ、減衰量の大きい高周波領域の信号を増幅する場合、増幅された高周波信号の周波数振幅特性が、広帯域にわたり平坦となるように線形補正する性能が求められる。したがって、ＬＳＩのアナログイコライザの周波数特性を高周波領域まで確保しなければならず、その結果、クロストークノイズが増大する、回路規模が増大する等のおそれがあった。【０００４】
また、ドライバとレシーバと間の伝送路にフィルタと称する方向性結合器を配置することにより、周波数振幅特性を平坦化する技術が開示されている（例えば、特許文献１参照）。
【先行技術文献】
【特許文献】
【０００５】
【特許文献１】特開２００９−２５９９２２号公報
【発明の概要】
【発明が解決しようとする課題】
【０００６】
上述したように、ＬＳＩのアナログイコライザを用いる場合には、クロストークノイズが増大する、回路規模が増大する等の課題があった。
また、特許文献１の技術における方向性結合器は、効果的な周波数特性の補正を行う性能を持たず，回路構成が複雑になるという課題があった。【０００７】
本発明は、このような課題を解決するためになされたものであり、簡単な構成により、クロストークノイズを低減することができるとともに回路規模を縮小することができる高速回路を提供することを目的とする。
【課題を解決するための手段】
【０００８】
本発明に係る処理回路は、プリント基板に実装される処理回路において、
前記プリント基板に実装され、受信した受信信号の振幅を減衰する第１減衰特性を有し、前記第１減衰特性に応じて減衰された前記受信信号を減衰信号として送出する伝送回路と、
前記プリント基板に実装され、前記伝送回路から受信した前記減衰信号を減衰する第２減衰特性を有し、前記第２減衰特性に応じて減衰された前記減衰信号を補正した信号として送信する補正回路とを備え、
前記伝送回路の前記第１減衰特性は、
前記受信信号の周波数が高くなるにしたがって、前記受信信号の振幅に対する前記減衰信号の振幅の比が小さくなる特性であり、
前記補正回路の前記第２減衰特性は、
前記減衰信号の周波数が高くなるにしたがって、前記減衰信号の振幅に対する前記補正信号の振幅の比が大きくなる特性であることを特徴とする。
【発明の効果】
【０００９】
本発明に係る処理回路によれば、伝送回路が、受信信号の周波数が高くなるにしたがって、受信信号の振幅に対する減衰信号の振幅の比が小さくなる第１減衰特性に応じて、受信信号の振幅を減衰して減衰信号として送出し、補正回路が、減衰信号の周波数が高くなるにしたがって、減衰信号の振幅に対する補正信号の振幅の比が大きくなる第２減衰特性に応じて、減衰信号を減衰して補正信号として送信するので、アナログイコライザのように周波数振幅特性の平坦化の効果が得られ、クロストークノイズが低減するとともに回路規模を縮小することができるという効果を奏する。
【図面の簡単な説明】
【００１０】
【図１】実施の形態１に係る高速回路１００を示す図である。
【図２】実施の形態１に係る伝送回路１０２の減衰特性１０２１を示す図である。
【図３】実施の形態１に係る補正回路１０３の補正特性１０３１を示す図である。
【図４】実施の形態１に係る合成特性１０５１を示す図である。
【図５】実施の形態１に係る補正回路１０３の回路構成の一例を示す図である。
【図６】実施の形態１に係るバタワース型ハイパスフィルタの特性緩和を説明するための図である。
【図７】実施の形態１に係る高速回路１００の信号補正方法（工程）を示すフロー図である。
【図８】実施の形態２に係る高速回路１００ａを示す図である。
【図９】実施の形態２に係る補正回路１０３ａの補正特性１０３１ａを示す図である。
【図１０】実施の形態２に係る補正制御回路４０４の回路構成の一例を示す図である。
【図１１】実施の形態２に係る制御回路４０３の制御方法を説明するための図である。
【発明を実施するための形態】
【００１１】
実施の形態１．
図１は、本実施の形態に係る高速回路１００を示す図である。
高速回路１００は、高周波デジタル信号を高速伝送する回路である。高速回路１００は、プリント基板１５０に実装される処理回路の一例である。プリント基板１５０は、例えば、基板間中継コネクタなどにより接続された複数のプリント基板でもよいし、ひとつの基板でもよい。プリント基板１５０は、プリント配線板ともいう。
【００１２】
高速回路１００は、ドライバ１０１、伝送回路１０２、補正回路１０３、レシーバ１０４を備える。ドライバ１０１、伝送回路１０２、補正回路１０３、レシーバ１０４のそれぞれは、例えば、ＬＳＩに搭載される。
【００１３】
ドライバ１０１は、ＬＳＩにおける信号発信回路である。
レシーバ１０４は、ＬＳＩにおける信号受信回路である。
伝送回路１０２、補正回路１０３は、ドライバ１０１の信号電極から、この信号電極の先のＬＳＩに対向するＬＳＩに搭載されたレシーバ１０４の信号電極までに配置される基板パタン、基板間中継コネクタなどで構成される。
伝送路１１０は、一方のＬＳＩのドライバ１０１から他方のＬＳＩのレシーバ１０４までの伝送路である。伝送路１１０は、伝送回路１０２、補正回路１０３を備える。
【００１４】
伝送回路１０２は、プリント基板１５０に実装され、ドライバ１０１から発信されたデジタル信号を受信信号１００１として受信し、受信信号１００１を減衰信号１００２として送出する。伝送回路１０２は、ＬＳＩであってもよいし、プリント基板１５０に構成された配線パタン、基板間中継コネクタなどにより構成される伝送路でもよい。
【００１５】
伝送回路１０２は、減衰特性１０２１を有する。伝送回路１０２では、受信した受信信号１００１の振幅が減衰特性１０２１に応じて減衰され、減衰された受信信号１００１を減衰信号１００２として送出する。
【００１６】
補正回路１０３は、プリント基板１５０に実装され、伝送回路１０２から発信された減衰信号１００２を受信し、減衰信号１００２を補正信号１００３として送出する。補正回路１０３は、ＬＳＩであってもよいし、プリント基板１５０に構成された配線パタン、基板間中継コネクタなどにより構成される伝送路でもよい。
補正回路１０３は、ＬＳＩのドライバ−レシーバ間に伝送路の損失特性の逆特性を実現する電源不要なフィルタである。
【００１７】
補正回路１０３は、伝送回路１０２の減衰特性１０２１の逆特性を有する。ここで、補正回路１０３の有する伝送回路１０２の減衰特性１０２１の逆特性を、補正特性１０３１と呼ぶものとする。補正回路１０３では、受信した減衰信号１００２の振幅が補正特性１０３１に応じて減衰され、減衰された減衰信号１００２を補正信号１００３としてレシーバ１０４に送出する。
【００１８】
図２は、本実施の形態に係る伝送回路１０２の減衰特性１０２１を示す図である。
図３は、本実施の形態に係る補正回路１０３の補正特性１０３１を示す図である。
図４は、本実施の形態に係る合成特性１０５１を示す図である。
減衰特性１０２１と補正特性１０３１とを合成した特性を合成特性１０５１とする。
【００１９】
図２に示すように、伝送回路１０２は、受信信号１００１の周波数が高くなるにしたがって、受信信号１００１の振幅に対する減衰信号１００２の振幅の比が小さくなる特性を有する。ここでは、減衰特性１０２１を、周波数と、受信信号１００１の振幅に対する減衰信号１００２の振幅の比（減衰特性値とする）とで表している。あるいは、減衰特性１０２１を、周波数と、受信信号１００１が減衰された減衰信号１００２の振幅の値とにより表してもよい。あるいは、減衰特性１０２１を周波数と減衰量とで表してもよい。
減衰特性１０２１は、伝送回路１０２が有する第１減衰特性の一例である。
【００２０】
図３に示すように、補正回路１０３は、受信する減衰信号１００２の周波数が高くなるにしたがって、減衰信号１００２の振幅に対する補正信号１００３の振幅の比が大きくなる特性である。
ここでは、補正特性１０３１を、周波数と、減衰信号１００２の振幅に対する補正信号１００３の振幅の比（補正特性値とする）とで表している。あるいは、補正特性１０３１を、周波数と、減衰信号１００２が減衰された補正信号１００３の振幅の値とにより表してもよい。あるいは、補正特性１０３１を周波数と減衰量とで表してもよい。
補正特性１０３１は、補正回路１０３が有する第２減衰特性の一例である。
【００２１】
図２において、点線は実際の減衰特性値（実減衰特性値１０５とする）を示している。実減衰特性値１０５は、周波数と受信信号の振幅に対する減衰信号の振幅の比との関係を示す第１の値の一例である。
補正回路１０３の補正特性１０３１は、周波数と受信信号の振幅に対する減衰信号の振幅の比との関係を示す実減衰特性値１０５に基づいて実現される。
【００２２】
このとき、補正特性１０３１は、受信信号１００１の周波数に対する実減衰特性値１０５を、直線補間により直線に近似して得られる補間減衰特性値１０６（第２の値の一例）に基づいて実現（算出）される。
このようにして実現された減衰特性１０２１の逆特性である補正特性値１０７を補正特性１０３１とする。この補正特性１０３１を補正回路１０３で実現し、プリント基板１５０に配置する。
【００２３】
ドライバ１０１から発信されたデジタル信号（受信信号１００１）が、減衰特性１０２１を有する伝送回路１０２、補正特性１０３１を有する補正回路１０３を通過することにより、減衰特性１０２１と補正特性１０３１とが合成された合成特性１０５１に応じた補正信号１００３として送出される。
【００２４】
図４に示すように、合成特性１０５１は、周波数と、受信信号１００１の振幅に対する補正信号１００３の振幅の比との関係により表される。受信信号１００１の振幅に対する補正信号１００３の振幅の比を合成特性値１０８とする。
【００２５】
図４に示すように、合成特性値１０８は、平滑化されている。このように、合成特性値１０８は、周波数に関わらず一定となることが好ましい。しかし、合成特性値１０８は、必ずしも周波数に関わらず一定でなくてもよく、合成特性値１０８の傾きが補間減衰特性値１０６（図２参照）の傾きより緩やかになれば、補正回路１０３の効果が得られる。すなわち、減衰信号１００２の振幅に対する補正信号１００３の振幅の比の変化量は、受信信号１００１の振幅に対する減衰信号１００２の振幅の比の変化量よりも小さくすることができる。
【００２６】
補正特性１０３１は、受信信号１００１の振幅に対する補正信号１００３の振幅の比が、減衰信号１００２の周波数に関わらず一定となるように減衰信号１００２を減衰するものであり、減衰特性１０２１の逆特性である。
【００２７】
上述したように、一方のＬＳＩのドライバ１０１から他方のＬＳＩのレシーバ１０４までの伝送路１１０の特性値は、補間減衰特性値１０６と、補間減衰特性値１０６の逆特性である補正特性値１０７とを合成した合成特性値１０８を有する。合成特性値１０８は、図４に示すように平坦になる。この合成特性値１０８は、周波数帯域全体に損失を含むため、ドライバ１０１またはレシーバ１０４により所定の利得を持たせ、最終的に特性１０９としてもよい。
すなわち、レシーバ１０４は、補正信号１００３の振幅を増幅し、増幅した補正信号１００３を送出する。あるいは、ドライバ１０１は、受信信号１００１を送出する前に、予め受信信号１００１の振幅を増幅し、増幅した受信信号１００１を送出する。
【００２８】
次に、補正回路１０３の構成について説明する。
図５は、本実施の形態に係る補正回路１０３の回路構成の一例を示す図である。
補正回路１０３は、例えば、ハイパスフィルタである。補正回路１０３の補正特性１０３１は、ハイパスフィルタの特性を用いて実現される。
図５に示すように、補正回路１０３は、減衰特性１０２１の逆特性である補正特性１０３１を、受動素子であるインダクタＬ、コンデンサＣで実現する回路である。
【００２９】
補正回路１０３は、例えば、コンデンサ２０１，２０２およびインダクタ２０３により構成されたバタワース型ハイパスフィルタである。バタワース型ハイパスフィルタは、他のフィルタ方式に比べて、周波数特性の減衰領域に変曲点がなく、直線であり、かつ傾きが緩やかである。このようなバタワース型ハイパスフィルタの周波数特性を利用して、減衰特性１０２１の逆特性をバタワース型ハイパスフィルタの減衰帯域で得ることができる。すなわち、バタワース型ハイパスフィルタを有する補正回路１０３では、補正特性値１０７に変曲点がない。
【００３０】
ここで、コンデンサ２０１、コンデンサ２０２はともにＤＣ（直流）遮断機能を兼ねている。通常、ＤＣ遮断コンデンサは、信号周波数帯域の中心で最もインピーダンスが低くなるよう定数を設定するが、ここではフィルタの特性にあわせた値を使用することが好適である。
【００３１】
次に、バタワース型ハイパスフィルタの特性を緩和し、補正回路１０３の補正特性１０３１とするための一例について説明する。
図６は、本実施の形態に係るバタワース型ハイパスフィルタの特性緩和を説明するための図である。図６は、信号の周波数と、信号の振幅特性（振幅特性値）と、信号スペクトラムとの関係を示した図である。
【００３２】
図６に示すように、低周波領域から動作周波数ｆｃ３０２までを、減衰特性１０２１の逆特性３０１とする。動作周波数ｆｃ３０２以上の高周波領域を、振幅が変化しない通過帯域３０３とする。
図６の点線は、信号スペクトラムの存在確率３０４を示している。図６に示すように、デジタル信号の信号スペクトラムの存在確率３０４は、動作周波数ｆｃ３０２の略１／４の周波数から動作周波数ｆｃ３０２にかけて集中する。このため、動作周波数ｆｃ３０２の１／４程度の周波数から動作周波数ｆｃ３０２までの周波数帯域について補正をおこなうことが好ましい。
【００３３】
次に、本実施の形態に係る高速回路１００の信号補正方法（工程）について説明する。
図７は、本実施の形態に係る高速回路１００の信号補正方法（工程）を示すフロー図である。
Ｓ１０１において、伝送回路１０２は、減衰特性１０２１に応じて減衰された減衰信号１００２を送出する。Ｓ１０２において、補正回路１０３は、減衰信号１００２を、補正特性１０３１に応じて補正し、補正信号１００３として送出する。
【００３４】
本実施の形態で説明した高速回路は、矩形波を用いた２値以上のデジタル信号伝送を目的とした高速回路である。高速回路は、ＬＳＩなどの半導体デバイスに内蔵されるドライバ、プリント配線板のパタン、ＬＳＩなどの半導体デバイスに内蔵されるレシーバから構成される。高速回路は、伝送路に対する減衰特性が補間され、補間された減衰特性の逆特性をもつ受動部品で構成した補正回路をプリント配線上に配置する。
【００３５】
以上のように、本実施の形態に係る高速回路によれば、ＬＳＩに対して、次のような効果が得られる。ドライバおよびレシーバのイコライザが高周波領域の利得を持ち上げる必要がなくなり、ＬＳＩに求められる回路難易度が下がるという効果が得られる。
【００３６】
また、基板に対して、次のような効果が得られる。伝送回路自体の減衰特性を、信号の通過周波数帯域全体に渡り平坦な振幅特性が得られるよう設計していたため、広帯域にわたり通過損失が少ない基板材料の選定や基板設計を実施してきた。しかし、本実施の形態に係る補正回路を実装することにより、伝送回路自体に特別な設計等を施さなくても、通過周波数帯域全体に渡り平坦な特性が得られるようになる。このため、基板材料の選定選択肢が増え、かつ基板設計の難易度を緩和する効果が得られる。
【００３７】
以上のように、本実施の形態に係る高速回路には、伝送路側、つまりＬＳＩのドライバ−レシーバ間に、伝送路の損失特性の逆特性を実現する電源不要なフィルタが基板上に配置される。これにより、ＬＳＩのレシーバで基本波および高周波帯域を一括平坦にしたので、ＬＳＩに高周波領域における高い増幅量を求めることなく、クロストークノイズが低減する、かつ、回路規模を縮小する効果が得られる。
【００３８】
実施の形態２．
本実施の形態では、主に、実施の形態１との差異について説明する。
本実施の形態において、実施の形態１と同様の構成部には同一の符号を付し、その説明を省略する場合がある。
【００３９】
図８は、本実施の形態に係る高速回路１００ａを示す図である。
図９は、本実施の形態に係る補正回路１０３ａの補正特性１０３１ａを示す図である。
【００４０】
図８の高速回路１００ａは、実施の形態１で説明した補正回路１０３の補正特性を変化させるための回路構成である。図８において、図１と異なる点は、高速回路１００ａが補正回路１０３ａに接続された制御回路４０３を備える点である。補正回路１０３ａと制御回路４０３とを備える回路を、補正制御回路４０４とする。
図９は、補正回路１０３ａの補正特性１０３１ａを示す図である。図９では、減衰信号１００２の周波数と、減衰信号１００２の振幅に対する補正信号１００３の振幅の比との関係を示している。減衰信号１００２の振幅に対する補正信号１００３の振幅の比を、補正特性値５０９とする。補正特性値は、周波数ｆｃ５０７までは、周波数が高くなるにしたがって大きくなり、周波数ｆｃ５０７よりも高周波の帯域では変化しない。
【００４１】
制御回路４０３は、補正回路１０３ａの補正特性１０３１ａを制御することができる回路である。
制御回路４０３は、補正特性値５０９のカットオフ周波数を、周波数ｆｃ５０７から周波数ｆｃ５０８へと変化させる。ここでは、減衰信号１００２の周波数が高くなるにしたがって補正特性値５０９が大きくなる特性５０９ａを示す周波数帯域のうちの周波数の最大値であるカットオフ周波数は、周波数ｆｃ５０７である。制御回路４０３は、カットオフ周波数を、周波数ｆｃ５０７から周波数ｆｃ５０８へと変化させる。
【００４２】
図９は、本実施の形態に係る補正制御回路４０４の回路構成の一例を示す図である。
図９を用いて、補正制御回路４０４を実現する具体的回路構成について説明する。
【００４３】
補正制御回路４０４は、バリキャップ５１０、バリキャップ５１１、電圧印加回路５１４、ノード５１６、インダクタ５１２、ＤＣ漏洩防止コンデンサ５１３を備える。
補正制御回路４０４では、実施の形態１におけるコンデンサ２０１およびコンデンサ２０２を、静電容量可変デバイスであるバリキャップ５１０およびバリキャップ５１１に置き換えている。実施の形態１におけるコンデンサ２０１およびコンデンサ２０２は、バリキャップ５１０およびバリキャップ５１１に相当する。
【００４４】
また、バリキャップ５１０およびバリキャップ５１１の静電容量を変化させるための電圧印加回路５１４を配置する。電圧印加回路５１４は、バリキャップ５１０とバリキャップ５１１との間に、ノード５１６を介して接続される。
【００４５】
また、電圧印加回路５１４による印加電圧に対するＤＣ漏洩防止コンデンサ５１３を配置する。
インダクタ５１２は、電圧印加回路５１４とＤＣ漏洩防止コンデンサ５１３との間に配置されている。インダクタ５１２は、実施の形態１で説明したインダクタ２０３に相当する。
【００４６】
図１０は、実施の形態２に係る補正制御回路４０４の回路構成の一例を示す図である。
図１０を用いて補正制御回路４０４の動作原理について説明する。
補正制御回路４０４は、電圧印加回路５１４によりＤＣ電位をノード５１６に印加することにより、バリキャップ５１０およびバリキャップ５１１の静電容量を変化させる。バリキャップ５１０およびバリキャップ５１１の静電容量を変化させることにより、カットオフ周波数を変化させる。
【００４７】
このとき、電圧印加回路５１４として、例えば、ＤＡＣ回路（デジタル−アナログ変換回路）を用いる。ＤＡＣ回路を電圧印加回路５１４とすることにより、ＬＳＩからデジタル制御可能なシステム構築を行うことができる。
【００４８】
次に、制御回路４０３の制御方法について説明する。
図１１は、本実施の形態に係る制御回路４０３の制御方法を説明するための図である。
【００４９】
図１１は、補正回路１０３ａのカットオフ周波数を変化させた時の信号誤り率Ｐの変化を特性６０１として示す模式図である。
ここで、高速回路１００ａにおいて、高速信号伝送を実行する際の所要誤り率をＰｔ６０２とする。制御回路４０３は、この所要誤り率Ｐｔ６０２を維持できる地点６０３を、レシーバ１０４で得た信号から算出する。そして、制御回路４０３は、算出した地点６０３の周波数を最適カットオフ周波数ｆｃとして決定する。
【００５０】
制御回路４０３の具体的なシステム動作手順（カットオフ周波数制御方法（工程））について説明する。
レシーバ１０４を備えるＬＳＩは、レシーバ１０４による信号の受信後、ＬＳＩに搭載されている算出回路により、誤り率を算出する。そして、ＬＳＩは、カットオフ周波数ｆｃと誤り率との関係を取得し、メモリに記憶する。ＬＳＩは、この手順を所定の範囲内のカットオフ周波数ｆｃについて実行し、誤り率とカットオフ周波数ｆｃとの関係、すなわち特性６０１をメモリに記憶する。
【００５１】
次に、所要誤り率Ｐｔ６０２を満足する最大誤り率である所要誤り率Ｐｔ６０２に基づいて、特性６０１からカットオフ周波数ｆｃを取得する。このカットオフ周波数に対応した印加電圧するための制御信号を電圧印加回路５１４であるＤＡＣに送信し、ＤＡＣは制御電圧を印加する。
【００５２】
以上のように、本実施の形態に係る補正制御回路は、補正特性において減衰特性の逆特性をもつ周波数帯域に対して，最大周波数に応じてカットオフ周波数を変える適応制御機能を有する制御回路をプリント基板上に配置した。
【００５３】
以上のように、本実施の形態に係る高速回路１００ａによれば、信号伝送レートが変化するアプリケーションに対して最適な伝送路特性を保つことができるという効果がある。つまり、高速回路１００ａにおいて必要な誤り率を保証することができる。
【００５４】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。
なお、以上の実施の形態は、本質的に好ましい例示であって、本発明、その適用物や用途の範囲を制限することを意図するものではなく、必要に応じて種々の変更が可能である。本発明は、これらの実施の形態に限定されるものではなく、必要に応じて種々の変更が可能である。
【符号の説明】
【００５５】
１００，１００ａ  高速回路、１０１  ドライバ、１０２  伝送回路、１０３，１０３ａ  補正回路、１０４  レシーバ、１１０  伝送路、１５０  プリント基板、２０１，２０２  コンデンサ、２０３  インダクタ、３０１  逆特性、３０２  動作周波数ｆｃ、３０３  通過帯域、３０４  存在確率、４０３  制御回路、４０４  補正制御回路、５０９  補正特性値、５０９ａ  特性、５１０，５１１  バリキャップ、５１２  インダクタ、５１３  ＤＣ漏洩防止コンデンサ、５１４  電圧印加回路、５１６  ノード、６０１  特性、６０２  所要誤り率、６０３  地点、１００１  受信信号、１００２  減衰信号、１００３  補正信号、１０２１  減衰特性、１０３１  補正特性、１０５１  合成特性。
【図１】
2015140976.tif 000003
【図２】
2015140976.tif 000004
【図３】
2015140976.tif 000005
【図４】
2015140976.tif 000006
【図５】
2015140976.tif 000007
【図６】
2015140976.tif 000008
【図７】
2015140976.tif 000009
【図８】
2015140976.tif 000010
【図９】
2015140976.tif 000011
【図１０】
2015140976.tif 000012
【図１１】
2015140976.tif 000013
【国際調査報告】
2015140976.tif 000014
2015140976.tif 000015
2015140976.tif 000016
2015140976.tif 000017